(57)【要約】【課題】  着信を受けた時点で携帯電話端末とハンズフリーユニットとの通信リンクが異常切断された場合に、通話相手を呼び出し中の状態で状況が分からないまま長時間待たせることのない携帯電話端末を提供する。【解決手段】  携帯電話端末１００にて着信を受信した時からハンズフリーユニット２００にてユーザにより着信に対する指示操作が行われるまでの間に、ハンズフリー制御部１０９により通信リンクの異常切断が発生したと判断された場合には、無線通信制御部１０２によって着信に対して応答保留を行う。【選択図】  図３
2005110051.tif 000002
【特許請求の範囲】
【請求項１】
通話相手の電話端末と無線基地局を介して音声通信を行う携帯電話機能を
有する無線通信装置と、ハンズフリーユニットと前記無線基地局を介すことなく音声通信
を行う近距離無線通信機能を有するハンズフリー通信装置とを備えた携帯電話端末におい
て、
前記ハンズフリーユニットと前記ハンズフリー通信装置との間に確立されていた通信リ
ンクが異常切断したか否かを判断するハンズフリー制御部と、
前記通話相手の電話端末からの着信を受けた時、前記ハンズフリー制御部により前記通
信リンクが異常切断したとの判断がされている場合は、前記着信に対して応答保留を行う
よう前記無線通信装置を制御する無線通信制御部と
を具備することを特徴とする携帯電話端末。
【請求項２】
前記ハンズフリー制御部は、ハンズフリー通信の終了要求が入力されてい
ない状態で前記通信リンクが切断された場合に前記通信リンクが異常切断されたと判断す
ることを特徴とする請求項１記載の携帯電話端末。
【請求項３】
前記無線通信制御部は、前記通話相手の電話端末から着信を受けた時から
前記ハンズフリーユニットより前記着信に対する指示を受けるまでの間に前記ハンズフリ
ー制御部により前記通信リンクが異常切断したと判断された場合に、前記着信に対し応答
保留を行うよう前記無線通信装置を制御することを特徴とする請求項１記載の携帯電話端
末。
【請求項４】
前記ハンズフリー制御部は、前記通信リンクの異常切断後に前記ハンズフ
リー通信装置により前記通信リンクの修復が行われたか否かを判断し、前記通信リンクの
修復が行われたと判断した場合に、前記ハンズフリーユニットに対し応答保留中である旨
の通知を送信し、更に、当該応答保留中である旨の通知に対して前記ハンズフリーユニッ
トから着信応答を指示する制御信号が送信されたか否かを判断し、
前記無線通信制御部は、前記ハンズフリー制御部により前記ハンズフリーユニットから
前記着信応答を指示する前記制御信号が送信されたと判断された場合に、前記着信に対し
て着信応答を行うよう前記無線通信装置を制御することを特徴とする請求項１記載の携帯
電話端末。
【請求項５】
前記ハンズフリー制御部は、前記通信リンクの異常切断後に前記ハンズフ
リー通信装置により前記通信リンクの修復が行われたか否かを判断し、前記通信リンクの
修復が行われたと判断した場合に、前記ハンズフリーユニットに対し応答保留中である旨
の通知を送信し、更に、当該応答保留中である旨の通知に対して前記ハンズフリーユニッ
トから着信拒否を指示する制御信号が送信されたか否かを判断し、
前記無線通信制御部は、前記ハンズフリー制御部により前記ハンズフリーユニットから
前記着信拒否を指示する前記制御信号が送信されたと判断された場合に、前記着信を切断
するよう前記無線通信装置を制御することを特徴とする請求項１記載の携帯電話端末。
【請求項６】
前記無線通信制御部は、前記着信に対する応答保留を行った後、所定時間
経過したか否かを判断し、前記所定時間を経過したと判断した場合に、前記着信を切断す
るよう前記無線通信装置を制御することを特徴とする請求項１記載の携帯電話端末。
【請求項７】
前記通話相手の電話端末に対する留守番電話メッセージの送出と前記通話
相手の電話端末から送信される伝言メッセージの記憶を行う留守番電話機能を有する留守
番電話部を更に具備し、
前記無線通信制御部は、前記着信に対する応答保留を行った後、所定時間経過したか否
かを判断し、
前記留守番電話部は、前記無線通信制御部により応答保留を行ってから所定時間経過し
たと判断された場合に、前記留守番電話機能を実行することを特徴とする請求項１記載の
携帯電話端末。
【請求項８】
前記無線通信制御部は、前記着信に対する応答保留を行ってから前記ハン
ズフリー通信装置により前記通信リンクの修復が行われたと判断するまでの間は前記所定
時間を経過したか否かの判断を継続し、一方、前記ハンズフリー通信装置により前記通信
リンクの修復が行われたと判断した場合は前記所定時間経過したか否かの判断を中止する
ことを特徴とする請求項６又は７記載の携帯電話端末。
【発明の詳細な説明】
【技術分野】
【０００１】
本発明は、携帯電話端末とハンズフリーユニットとの間の通信リンクの接続制御を行う
携帯電話端末に関する。
【背景技術】
【０００２】
近年、携帯電話端末では、Ｂｌｕｅｔｏｏｔｈ（Ｒ）等の近距離無線通信機能を用いて
ハンズフリー機能を実現する技術が考えられている。この技術は、自動車に搭載されてい
る車載機器などのハンズフリーユニットと携帯電話端末とを近距離無線通信の通信リンク
で接続し、ハンズフリーユニット側で音声通信を行うことを可能としたものである。
【０００３】
Ｂｌｕｅｔｏｏｔｈ（Ｒ）等の近距離無線通信を用いてハンズフリー機能を実現する場
合、ハンズフリーユニット側で通話を行っている最中に、周囲の電波状況よる影響等によ
り通信リンクが異常切断され、ハンズフリーユニットと携帯電話端末が不通状態に陥り、
ハンズフリーユニットで音声通話ができなくなる場合がある。
【０００４】
なお、ここで、携帯電話端末又はハンズフリーユニットからユーザ操作によりハンズフ
リー通信の終了指示が入力されたことに伴い通信リンクが切断されることを「通常切断」
と言う。これに対して、周囲の電波状況よる影響等により、ユーザ操作によるハンズフリ
ー通信の終了指示の入力がない状態で通信リンクが切断されることを「異常切断」と言う
。
【０００５】
そこで、特許文献１に示されるように、携帯電話端末側において、異常切断が発生した
場合に携帯電話端末に備えられているマイクへの音声入力に音声パスを切り換えると共に
マイクを切り換えたことを示すメッセージを通話相手へ送信し、その後、通信リンクが修
復すると音声パスをハンズフリーユニットからの音声入力に切り換える構成が提案されて
いる。
【特許文献１】特開２００３−１２５４６１号公報（第９−１０頁、図２）
【発明の開示】
【発明が解決しようとする課題】
【０００６】
しかしながら、特許文献１の従来技術では、通信リンクの異常切断が、携帯電話端末が
着信を受けてからハンズフリーユニットにて着信に対する指示操作が行われる前に発生す
る場合が考慮されていない。
【０００７】
この場合、ハンズフリーユニット側では着信に対する指示操作ができなくなるので、従
来技術においては、次に説明する２つの方法のどちらかで対応するしかなかった。第１の
方法は、携帯電話端末により通信リンクが修復されるのを待ち、ハンズフリーユニット側
で着信に対する指示操作ができる状態になってから、ユーザが、ハンズフリーユニットを
用いて着信に対する指示操作を行う方法である。また、第２の方法は、携帯電話端末によ
る通信リンクの修復を待たないで、ユーザが、携帯電話端末を直接操作して着信に対する
指示操作を行う方法である。
【０００８】
しかし、第１の方法では、通信リンクが修復されるまで指示操作が行われないこととな
るので、通信リンクの修復が遅くなった場合には、通話相手は何も状況が知らされない状
態で長時間待たされることになり、通話相手が途中で諦めて呼び出しを止めてしまうとい
う不具合がある。また、第２の方法では、ユーザが、運転中に携帯電話端末を操作する必
要があるため運転操作の安全性の低下を招くという不具合がある。
【０００９】
本発明は上記の課題を解決するためになされたものであり、着信を受けた時に携帯電話
端末とハンズフリーユニットとの通信リンクが異常切断された場合に、通話相手を呼び出
し中の状態で状況が分からないまま長時間待たせることのない携帯電話端末を提供するこ
とを目的とする。
【００１０】
また、着信を受けた際に携帯電話端末とハンズフリーユニットとの通信リンクが異常切
断された場合に、ユーザの運転中の携帯電話端末操作を抑制し、運転操作の安全性の低下
を招くという不具合を抑制することを可能とした携帯電話端末を提供することを目的とす
る。
【課題を解決するための手段】
【００１１】
上記目的を達成するため、請求項１の発明は、通話相手の電話端末と無線基地局を介し
て音声通信を行う携帯電話機能を有する無線通信装置と、ハンズフリーユニットと前記無
線基地局を介すことなく音声通信を行う近距離無線通信機能を有するハンズフリー通信装
置とを備えた携帯電話端末において、前記ハンズフリーユニットと前記ハンズフリー通信
装置との間に確立されていた通信リンクが異常切断したか否かを判断するハンズフリー制
御部と、前記通話相手の電話端末からの着信を受けた時、前記ハンズフリー制御部により
前記通信リンクが異常切断したとの判断がされている場合は、前記着信に対して応答保留
を行うよう前記無線通信装置を制御する無線通信制御部とを具備する携帯通話端末である
ことを特徴とする。
【００１２】
また、請求項２の発明は、請求項１の発明において、前記ハンズフリー制御部は、ハン
ズフリー通信の終了要求が入力されていない状態で前記通信リンクが切断された場合に前
記通信リンクが異常切断されたと判断することを特徴とする。
【００１３】
また、請求項３の発明は、請求項１の発明において、前記無線通信制御部は、前記通話
相手の電話端末から着信を受けた時から前記ハンズフリーユニットより前記着信に対する
指示を受けるまでの間に前記ハンズフリー制御部により前記通信リンクが異常切断したと
判断された場合に、前記着信に対し応答保留を行うよう前記無線通信装置を制御すること
を特徴とする。
【００１４】
また、請求項４の発明は、請求項１の発明において、前記ハンズフリー制御部は、前記
通信リンクの異常切断後に前記ハンズフリー通信装置により前記通信リンクの修復が行わ
れたか否かを判断し、前記通信リンクの修復が行われたと判断した場合に、前記ハンズフ
リーユニットに対し応答保留中である旨の通知を送信し、更に、当該応答保留中である旨
の通知に対して前記ハンズフリーユニットから着信応答を指示する制御信号が送信された
か否かを判断し、前記無線通信制御部は、前記ハンズフリー制御部により前記ハンズフリ
ーユニットから前記着信応答を指示する前記制御信号が送信されたと判断された場合に、
前記着信に対して着信応答を行うよう前記無線通信装置を制御することを特徴とする。
【００１５】
また、請求項５の発明は、請求項１の発明において、前記ハンズフリー制御部は、前記
通信リンクの異常切断後に前記ハンズフリー通信装置により前記通信リンクの修復が行わ
れたか否かを判断し、前記通信リンクの修復が行われたと判断した場合に、前記ハンズフ
リーユニットに対し応答保留中である旨の通知を送信し、更に、当該応答保留中である旨
の通知に対して前記ハンズフリーユニットから着信拒否を指示する制御信号が送信された
か否かを判断し、前記無線通信制御部は、前記ハンズフリー制御部により前記ハンズフリ
ーユニットから前記着信拒否を指示する前記制御信号が送信されたと判断された場合に、
前記着信を切断するよう前記無線通信装置を制御することを特徴とする。
【００１６】
また、請求項６の発明は、請求項１の発明において、前記無線通信制御部は、前記着信
に対する応答保留を行った後、所定時間経過したか否かを判断し、前記所定時間を経過し
たと判断した場合に、前記着信を切断するよう前記無線通信装置を制御することを特徴と
する。
【００１７】
また、請求項７の発明は、請求項１の発明において、前記通話相手の電話端末に対する
留守番電話メッセージの送出と前記通話相手の電話端末から送信される伝言メッセージの
記憶を行う留守番電話機能を有する留守番電話部を更に具備し、
前記無線通信制御部は、前記着信に対する応答保留を行った後、所定時間経過したか否
かを判断し、前記留守番電話部は、前記無線通信制御部により応答保留を行ってから所定
時間経過したと判断された場合に、前記留守番電話機能を実行することを特徴とする。
【００１８】
また、請求項８の発明は、請求項６又は７の発明において、前記無線通信制御部は、前
記着信に対する応答保留を行ってから前記ハンズフリー通信装置により前記通信リンクの
修復が行われたと判断するまでの間は前記所定時間を経過したか否かの判断を継続し、一
方、前記ハンズフリー通信装置により前記通信リンクの修復が行われたと判断した場合は
前記所定時間経過したか否かの判断を中止することを特徴とする。
【発明の効果】
【００１９】
本発明によれば、通話相手の電話端末から着信を受けた時に通信リンクが異常切断した
場合には、着信に対し応答保留を行うようにしたため、通話相手を呼び出し中の状態で状
況が分からないまま長時間待たせる不具合ことを抑制することが可能である。
【００２０】
また、ユーザは、通信リンクの修復を待ってから、ハンズフリーユニットにおいて着信
に対する指示操作を行えるため、運転中に携帯電話端末を操作する必要がなくなり、運転
操作の安全性の低下を招くという不具合を抑制することが可能である。  
【発明を実施するための最良の形態】
【００２１】
本発明では、携帯電話端末が着信を受信した時点からハンズフリーユニットにてユーザ
により着信に対する指示操作が行われるまでの間に携帯電話端末とハンズフリーユニット
との間の通信リンクが異常切断された場合、携帯電話端末が着信に対して応答保留を行い
、その後通信リンクの修復を行い、修復が完了した時点で携帯電話端末からハンズフリー
ユニットに対して応答保留を行っている旨の通知を行うことにより、通話相手を状況が分
からないまま呼び出し中の状態で長時間待たせることなく、ユーザが通信リンクの修復を
待って、ハンズフリーユニットにおいて保留解除操作（着信応答）又は保留終了操作（着
信拒否）といった操作を行うことを可能としたものである。
【００２２】
以下、本発明の実施の形態について図面を参照して詳細に説明する。図１は、本発明に
係わる携帯電話端末１００の構成を示すブロック図である。図２は、本発明に係わるハン
ズフリーユニット２００の構成を示すブロック図である。図３は、通話相手である他の携
帯電話端末から着信を受けた際に通信リンクの異常切断が発生した場合の、携帯電話端末
１００とハンズフリーユニット２００との間で行われる着信制御のシーケンスを示すもの
である。図４は、通話相手である他の携帯電話端末から着信を受けた際に通信リンクの異
常切断が発生した場合の、携帯電話端末１００とハンズフリーユニット２００との間で行
われる着信制御の他のシーケンスを示すものである。なお、図３及び図４のシーケンスで
は、他の携帯電話端末から着信を受ける前は携帯電話端末１００とハンズフリーユニット
２００との間の通信リンクが確立していることを前提としている。
【００２３】
（携帯電話端末の構成）先ず、図１を参照して本発明の携帯電話端末１００の構成を説
明する。
【００２４】
無線通信装置１０１は、ＣＤＭＡなどのデジタル携帯電話機能を有するものであり、図
示せぬ無線基地局を介して無線通信により他の携帯電話端末との間で、音声通話やメール
の送受信などのデータ通信を行う。音声通話とデータ通信とを併せて無線通信を行う。無
線通信制御部１０２は、ＣＰＵ等で構成されており、無線通信装置１０１における無線通
信動作を制御する。表示部（Ｄｉｓｐｌａｙ）１０３は、ＬＣＤ等で構成されており、無
線通信装置１０１にて送受信されるメールやキー入力部（ＫＥＹ入力）１０４から入力さ
れる各種データを表示する。キー入力部（ＫＥＹ入力）１０４は、電話番号やメール等の
各種情報を入力するための数字キーや文字キーを備えている。更に、キー入力部（ＫＥＹ
入力）１０４は、発信指示、着信応答指示、着信拒否指示、応答保留指示など、無線通信
装置１０１の無線通信動作に対する制御指示を行うための操作キーを備えている。更に、
ハンズフリー通信の終了要求を入力する操作キーも備えている。マイクロフォン（ＭＩＣ
）１０５は、携帯電話端末１００を用いて音声通話を行う場合に、ユーザからの音声が入
力されるものである。スピーカ（ＳＰＫ）１０６は、携帯電話端末１００を用いて音声通
話を行う場合に、無線通信装置１０１にて受信した通話相手の音声を出力するものである
。
【００２５】
バイブレーター１０７は、着信を受けた際に、携帯電話端末１００を振動させることに
より着信があった旨を通知する。  
ハンズフリー通信装置１０８は、例えばＢｌｕｅｔｏｏｔｈ（Ｒ）等の近距離無線通信
機能を有しており、上記した無線通信装置１０１による無線通信において利用している無
線基地局を介すことなく、ハンズフリーユニット２００のハンズフリー通信装置２０４（
図２）との間で直接無線にて音声信号の送受信を行うハンズフリー通信を行うものであり
、ハンズフリーユニット２００のハンズフリー通信装置２０４と通信リンクを確立し、確
立した通信リンクを介してハンズフリー通信装置２０４に対し音声信号を送受信する。ハ
ンズフリー制御部１０９は、ハンズフリー通信装置１０８におけるハンズフリー通信動作
を制御するためのものである。スイッチ１１０は、無線通信装置１０１とマイクロフォン
（ＭＩＣ）１０５及びスピーカ（ＳＰＫ）１０６との間の第１の音声パスと、無線通信装
置１０１とハンズフリー通信装置１０８との間の第２の音声パスとのどちらか一方を選択
的に確立させるためのスイッチである。
【００２６】
留守番電話部１１１は、留守番電話メッセージを記憶する留守番電話メッセージ記憶領
域や、留守番電話メッセージに応答して通話相手から送られてくる伝言メッセージを記憶
する伝言メッセージ記憶領域を備えており、留守番電話モード動作時においては留守番電
話メッセージの通信相手への送出と、通話相手から送られてきた伝言メッセージの記憶を
行う。
【００２７】
（ハンズフリーユニットの構成）次に、図２を参照して本発明のハンズフリーユニット
２００の構成を説明する。
【００２８】
マイクロフォン（ＭＩＣ）２０１は、携帯電話端末１００を介して通話相手とハンズフ
リーで音声通話を行う場合に、ユーザからの音声を入力するものである。スピーカ（ＳＰ
Ｋ）２０２は、携帯電話端末１００を介して通話相手とハンズフリーで音声通話を行う場
合に、通話相手から送られてくる通話相手の音声を出力するものである。入力装置２０３
は、電話番号を入力するための数字キーや、発信指示、着信応答指示、着信拒否指示、応
答保留指示など携帯電話端末１００の無線通信装置１０１の無線通信動作に対する制御指
示を行うための操作キーを備えている。更には、ハンズフリー通信の終了要求を入力する
ための操作キーも備える。ハンズフリー通信装置２０４は携帯電話端末１００のハンズフ
リー通信装置１０８（図１）との間でハンズフリー通信を行うものであり、例えばＢｌｕ
ｅｔｏｏｔｈ（Ｒ）等の近距離無線通信機能を備えており、この近距離無線通信機能を用
いて、携帯電話端末１００のハンズフリー通信装置１０８との間に通信リンクを確立し、
確立した通信リンクを介してハンズフリー通信装置１０８と音声信号を送受信する。ハン
ズフリー制御部２０５は、ハンズフリー通信装置２０４におけるハンズフリー通信動作を
制御するためのものである。ハンズフリー制御部２０５は、音声認識機能を備えており、
ユーザによりマイクロフォン（ＭＩＣ）２０１を介して、電話番号を示す音声の入力や、
発信指示、着信応答指示、着信拒否指示、応答保留指示など無線通信装置１０１の無線通
信動作に対する制御指示を示す音声が入力された場合に、入力された音声を認識すること
でユーザからの指示を検出し、この検出したユーザの指示を携帯電話端末１００の無線通
信制御部１０２に通知する。これにより、ユーザからの音声入力により、携帯電話端末１
００の無線通信制御部１０２の無線通信動作に対する制御指示が行える。更に、ハンズフ
リー制御部２０５は、ハンズフリー通信の終了要求を示す音声入力がされた場合には音声
認識によりユーザの指示を検出し、ハンズフリー通信装置２０４を制御し、携帯電話端末
１００のハンズフリー通信装置１０８との間のハンズフリー通信を終了し、通信リンクを
切断する。
【００２９】
（着信応答する場合の着信制御動作）次に、図３を参照して本発明の携帯電話端末１０
０とハンズフリーユニット２００との間で行われる着信制御の動作を説明する。
【００３０】
携帯電話端末１００とハンズフリーユニット２００との間にはハンズフリー通信を行う
ための通信リンクが確立されている（ステップＳ１０１）。このステップＳ１０１におい
ては、先ず、携帯電話端末１００のハンズフリー制御部１０９はハンズフリー通信装置１
０８を制御し、一方、ハンズフリーユニット２００のハンズフリー制御部２０５はハンズ
フリー通信装置２０４を制御することにより、ハンズフリー通信装置１０８とハンズフリ
ー通信装置２０４との間で近距離無線通信機能を用いた通信リンクの確立が行われる。更
に、無線通信制御部１０２により、無線通信装置１０１とハンズフリー通信装置１０８と
の間の音声パスの確立も行われる。即ち、携帯電話端末１００のハンズフリー制御部１０
９は、通信リンクが確立されたと判断すると無線通信制御部１０２に対してハンズフリー
開始要求を通知する。ハンズフリー開始要求を受けた無線通信制御部１０２はスイッチを
Ｂ側に切り替えることにより無線通信装置１０１とハンズフリー通信装置１０８との間の
音声パスを確立する。
【００３１】
このように通信リンクが確立された状態において、無線通信制御部１０２は、無線通信
装置１０１にて通話相手から着信を受けたことを検出すると（ステップＳ１０２）、ハン
ズフリー制御部１０９に対して着信通知を行う（ステップＳ１０３）。着信通知を受けた
ハンズフリー制御部１０９は、ハンズフリー通信装置１０８を制御して、通信リンクを介
しハンズフリーユニット２００に対し着信通知を行う（ステップＳ１０４）。一方、ハン
ズフリーユニット２００側においては、通信リンクを介して送信される着信通知は、ハン
ズフリー通信装置２０４にて受信され、ハンズフリー制御部２０５に送られる。着信通知
を受信したハンズフリー制御部２０５は、着信を受けた旨を示すメッセージを、スピーカ
（ＳＰＫ）２０２にて音声で出力させることでユーザに着信報知する。
【００３２】
ここで、周囲の電波状況よる影響等により通信リンクが異常切断されると、ハンズフリ
ー制御部１０９は、通信リンクが異常切断されたことを検出し（ステップＳ１０５）、通
信リンクの異常切断があった旨を無線通信制御部１０２へ通知する（ステップＳ１０６）
。なお、ハンズフリー制御部１０９による通信リンクの異常切断は次のようにして判断さ
れる。ハンズフリー制御部１０９は、通信リンクが切断される前に、携帯電話端末１００
のキー入力部（ＫＥＹ入力）１０４、或いは、ハンズフリーユニット２００の入力装置２
０３によって、ユーザからハンズフリー通信の終了要求を指示するキー入力があった場合
、又は、マイクロフォン（ＭＩＣ）２０１に対するユーザの音声入力よってハンズフリー
通信の終了要求がされた場合であって、このユーザ指示に応じてハンズフリー通信装置１
０８にて通信リンクの切断が行われたことを確認していた場合は、この通信リンクの切断
を通常切断と判断する。一方、ユーザによるハンズフリー通信の終了要求の入力がないに
もかかわらず、ハンズフリー通信装置１０８とハンズフリー通信装置２０４との間の通信
リンクが切断され、ハンズフリー通信装置１０８がハンズフリー通信装置２０４と通信不
可能な状態となった場合には、ハンズフリー制御部１０９は、通信リンクが異常切断され
たと判断する。
【００３３】
通信リンクの異常切断の通知を受けた無線通信制御部１０２は、無線通信装置１０１に
応答保留の動作を行わせ、図示せぬ無線基地局へ、着信に対して応答保留をする旨の制御
信号を送出する（ステップＳ１０７）。このとき、無線通信制御部１０２は、着信してき
た通話相手に対して、応答保留をしていることを報知するためのメッセージを送信するよ
うにしても良い。
【００３４】
ハンズフリー制御部１０９では、ステップＳ１０６で無線通信制御部１０２へ異常切断
の通知を行った後は、ハンズフリー通信装置１０８を制御してハンズフリーユニット２０
０のハンズフリー通信装置２０４との間の通信リンクの修復処理を行っている。この修復
処理の結果、通信リンクの修復が完了すると、ハンズフリー制御部１０９は、無線通信制
御部１０２に対して通信リンクの修復を完了した旨の通知をする（ステップＳ１０９）。
【００３５】
通信リンクの修復完了の通知を受けた無線通信制御部１０２は、通知を受けた時点では
、着信に対する応答保留をしている状態であるため、ハンズフリー制御部１０９に対して
応答保留中である旨を通知する（ステップＳ１１０）。応答保留中の通知を受けたハンズ
フリー制御部１０９は、ハンズフリー通信装置１０８を介してハンズフリーユニット２０
０のハンズフリー通信装置２０４へ応答保留中である旨の通知をする（ステップＳ１１１
）。一方、ハンズフリーユニット２００では、ハンズフリー通信装置２０４にて携帯電話
端末１００から応答保留中である旨の通知を受けると、ハンズフリー制御部２０５がスピ
ーカ（ＳＰＫ）２０２を制御し、応答保留中である旨を示すメッセージを音声出力するこ
とで、ユーザに報知する。
【００３６】
スピーカ（ＳＰＫ）２０２から音声で応答保留中の報知を行った後、ユーザから着信応
答の実行指示が行われた場合、ハンズフリー制御部２０５は、ハンズフリー通信装置２０
４を介して携帯電話端末１００のハンズフリー通信装置１０８へ着信応答の実行を指示す
る制御信号を送信する（ステップＳ１１２）。ここでユーザから着信応答の実行指示は、
入力装置２０３によるキー入力、又は、マイクロフォン（ＭＩＣ）２０１への音声入力に
より行われている。なお、応答保留中の報知に応答して、ユーザから着信拒否の実行指示
が行われる場合もあるが、この場合については、図４を用いて後で詳述する。
【００３７】
携帯電話端末１００側では、ハンズフリー通信装置１０８においてハンズフリーユニッ
ト２００から送信された着信応答の実行を指示する制御信号を受信すると、ハンズフリー
制御部１０９が、無線通信制御部１０２に対して着信応答の実行を指示する制御信号を送
る（ステップＳ１１３）。着信応答の実行を指示する制御信号を受けた無線通信制御部１
０２は、無線通信装置１０１を制御し、着信保留をしている着信に対し着信応答を行い（
ステップＳ１１４）、無線通信装置１０１において通話相手との無線基地局を介した無線
通信による通話を確立する（ステップＳ１１５）。
【００３８】
（着信拒否する場合の着信制御動作）上述した制御において、ハンズフリーユニット２
００側で、応答保留中である旨を示すメッセージを報知した際に、ユーザにより着信拒否
の実行指示が行われる場合がある。次に、ユーザにより着信拒否の実行指示が行われた場
合の制御を、図４を参照して説明する。図４のステップＳ１０１からステップＳ１１１ま
での処理は図３で示した処理と同じであるので、以下では、ステップＳ２０１以降の処理
について説明する。
【００３９】
スピーカ（ＳＰＫ）２０２からの音声出力による応答保留中の報知に応じて、ユーザか
ら着信拒否の実行指示が行われた場合、ハンズフリー制御部２０５は、ハンズフリー通信
装置２０４を介して携帯電話端末１００のハンズフリー通信装置１０８へ着信拒否の実行
を指示する制御信号を送信する（ステップＳ２０１）。なお、ユーザによる着信拒否の実
行指示は、入力装置２０３でのキー入力、或いは、マイクロフォン（ＭＩＣ）２０１への
音声入力にて行われる。
【００４０】
携帯電話端末１００側では、ハンズフリー通信装置１０８において着信拒否の実行を指
示する制御信号を受信すると、ハンズフリー制御部１０９が、無線通信制御部１０２に対
して着信拒否の実行を指示する制御信号を送る（ステップＳ２０２）。着信拒否の実行を
指示する制御信号を受けた無線通信制御部１０２は、無線通信装置１０１を制御し、現在
着信保留している着信に対して着信拒否の処理を行い、着信の切断を行う（ステップＳ２
０３）。
【００４１】
なお、上記説明においては、携帯電話端末１００がハンズフリーユニット２００へ着信
通知を行った後に通信リンクの異常切断がされた場合について説明したが、携帯電話端末
１００がハンズフリーユニット２００へ着信通知を行う前に通信リンクの異常切断がされ
る場合がある。この場合は、通信リンクの異常切断があった時点でハンズフリー制御部１
０９が異常切断を検出すると（ステップＳ１０５）、無線通信制御部１０２に異常切断が
あった旨を通知する（ステップＳ１０６）処理を行うので、ハンズフリーユニット２００
への着信通知（ステップＳ１０４）は行われない。
【００４２】
このように、携帯電話端末１００が着信を受信した時点から、ハンズフリーユニット２
００にてユーザにより着信に対する指示操作が行われるまでの間に通信リンクが異常切断
された場合は、着信に対して応答保留を行うことにより、通話相手を、呼び出しを継続し
ている状態で状況が把握できないまま長時間待たせる不具合を解消することが可能である
。また、通信リンクを修復するまでに時間がかかる場合に、通信リンクの修復の途中で電
話相手によって呼び出しが中止される可能性が低減されることになり、通信リンクの修復
完了後に通話相手と通話できる可能性が高くなる。また、ユーザは、通信リンクの修復が
完了することを待った後に、ハンズフリーユニット２００にて着信に対する指示操作を行
えば良いので、携帯電話端末１００を操作する必要がなくなるため、運転中に携帯電話端
末１００を操作して運転操作の安全性の低下させるといった不具合を解消することが可能
である。
【００４３】
（応答保留から所定時間経過後に着信を切断する制御）上述した制御において、ステッ
プＳ１０７にて着信への応答保留を行った後、無線通信制御部１０２が時間を計測してお
き、所定時間経過した場合は応答保留している着信を切断する制御を行っても良い。この
時の処理を以下に説明する。ステップＳ１０７にて着信への応答保留を行うと、無線通信
制御部１０２は、時間の計測を開始する。時間の計測を開始した後は、無線通信制御部１
０２では、ハンズフリー制御部１０９から通信リンクの修復完了の通知を待つ一方で、計
測している時間が予め設定された所定時間に達したか否かを常に判断している。無線通信
制御部１０２は、ハンズフリー制御部１０９から通信リンクの修復完了の通知を受ける前
に計測している時間が予め設定された所定時間に達したと判断した場合、無線通信装置１
０１を制御して現在応答保留している着信に対し切断処理を行う。一方、計測している時
間が予め設定された所定時間に達する前にハンズフリー制御部１０９から通信リンクの修
復完了の通知を受けた場合、無線通信制御部１０２は、時間の計測を中止し上述したステ
ップＳ１１０より以降の処理を実行する。
【００４４】
このように、着信に対する応答保留を行った後、所定時間経過した場合は応答保留して
いる着信を切断することによって、通信リンクの修復を試みているものの修復ができず、
応答保留の状態のまま通話相手を長時間待たせるという不具合を解消することが可能であ
る。
【００４５】
また、上述した制御では、計測している時間が予め設定された所定時間に達する前にハ
ンズフリー制御部１０９から通信リンクの修復完了の通知を受けた場合、無線通信制御部
１０２は、時間の計測を中止するよう制御しているが、通信リンクの修復完了の通知を受
けた場合に時間の計測を中止するのではなく、ハンズフリー制御部１０９から着信応答の
実行指示を示す制御信号を受信するか（図３のステップＳ１１３）、若しくは、着信拒否
の実行指示を示す制御信号を受信する（図４のステップＳ２０１）まで時間の計測を継続
しても良い。この場合、無線通信制御部１０２は、着信応答或いは着信拒否の実行指示を
示す制御信号を受ける前に計測している時間が予め設定された所定時間に達した場合、無
線通信装置１０１を制御して現在応答保留している着信に対し切断処理を行う。一方、計
測している時間が予め設定された所定時間に達する前にハンズフリー制御部１０９から着
信応答或いは着信拒否の実行指示を示す制御信号を受けた場合、無線通信制御部１０２は
、時間の計測を中止する。時間の計測を中止した後、無線通信制御部１０２は、着信応答
の実行指示を示す制御信号を受信した場合は図３のステップＳ１１４以降の処理を実行し
、着信拒否の実行指示を示す制御信号を受けた場合は図４のステップＳ２０３の処理を実
行する。
【００４６】
このように、着信への応答保留を行った後、着信応答或いは着信拒否の実行指示を示す
制御信号を受ける前に所定時間が経過した場合に、応答保留している着信を切断すること
によって、通信リンクの修復は完了したものの、ユーザが運転中、又は、車外に出ていた
等の理由で着信応答又は着信拒否の操作ができない状態となり、ユーザにより着信応答又
は着信拒否の操作がなされないことにより、応答保留の状態のまま通話相手を長時間待た
せるという不具合を解消することが可能である。
【００４７】
（応答保留から所定時間経過後に留守番電話機能を実行する制御）更には、上述した制
御において、図３のステップＳ１０７にて着信への応答保留を行った後、所定時間経過し
た場合は応答保留を終了し、留守番電話機能を実行するように制御することも可能である
。この時の処理について説明する。即ち、ステップＳ１０７にて着信への応答保留を行う
と、無線通信制御部１０２は、時間の計測を開始する。時間の計測を開始した後、無線通
信制御部１０２は、ハンズフリー制御部１０９から通信リンクの修復完了の通知を待つ一
方で、計測している時間が予め設定された所定時間に達したか否かを常に判断している。
【００４８】
ハンズフリー制御部１０９から通信リンクの修復完了の通知を受ける前に計測している時
間が予め設定された所定時間に達したと判断した場合、無線通信制御部１０２は応答保留
を終了し、留守番電話部１１１を制御して、応答保留していた着信に対して留守番電話機
能を実行させる。一方、計測している時間が予め設定された所定時間に達する前にハンズ
フリー制御部１０９から通信リンクの修復完了の通知を受けた場合、無線通信制御部１０
２は時間の計測を中止し、図３のステップＳ１１０以降の処理を実行する。
【００４９】
このように、着信への応答保留を行った後、所定時間経過した場合は応答保留を終了し
留守番電話機能を実行することにより、通信リンクの修復を試みているものの修復ができ
ず、応答保留の状態のまま通話相手を長時間待たせるという不具合を解消することが可能
である。
【００５０】
また、上述した制御では、計測している時間が予め設定された所定時間に達する前にハ
ンズフリー制御部１０９から通信リンクの修復完了の通知を受けた場合は、無線通信制御
部１０２は時間の計測を中止するとしているが、通信リンクの修復完了の通知を受けた場
合に時間の計測を中止するのではなく、ハンズフリー制御部１０９から着信応答の実行指
示を示す制御信号を受信するか（図３のステップＳ１１３）、若しくは、着信拒否の実行
指示を示す制御信号を受信する（図４のステップＳ２０１）まで時間の計測を継続しても
良い。この場合、無線通信制御部１０２は、着信応答或いは着信拒否の実行指示を示す制
御信号を受ける前に、計測している時間が予め設定された所定時間に達した場合は、応答
保留を終了し、留守番電話部１１１を制御し応答保留していた着信に対して留守番電話機
能を実行させる。一方、計測している時間が予め設定された所定時間に達する前にハンズ
フリー制御部１０９から着信応答或いは着信拒否の実行指示を示す制御信号を受けた場合
、無線通信制御部１０２は時間の計測を中止し、着信応答の実行指示を示す制御信号を受
信した場合は上述した図３のステップＳ１１４以降の処理を実行し、着信拒否の実行指示
を示す制御信号を受けた場合は図４のステップＳ２０３の処理を実行する。
【００５１】
このように、着信への応答保留を行った後、着信応答或いは着信拒否の実行指示を示す
制御信号を受ける前に所定時間が経過した場合に、留守番電話機能を実行することにより
、通信リンクの修復は完了したものの、ユーザが運転中、又は、車外に出ていた等の理由
で着信応答又は着信拒否の操作ができない状態となり、ユーザにより着信応答又は着信拒
否の操作がなされないことにより、応答保留の状態のまま通話相手を長時間待たせるとい
う不具合を解消することが可能である。
【図面の簡単な説明】
【００５２】
【図１】本発明に係わる携帯電話端末の構成を示すブロック図。
【図２】本発明に係わるハンズフリーユニットの構成を示すブロック図。
【図３】他の携帯電話端末から着信を受けた際に通信リンクの異常切断が発生した場合の、携帯電話端末とハンズフリーユニットとの間で行われる着信制御のシーケンスを示す図。
【図４】他の携帯電話端末から着信を受けた際に通信リンクの異常切断が発生した場合の、携帯電話端末とハンズフリーユニットとの間で行われる着信制御の他のシーケンスを示す図。
【符号の説明】
【００５３】
１００  携帯電話端末、１０１  無線通信装置、１０２  無線通信制御部、
１０３  表示部、１０４  キー入力部（ＫＥＹ入力）、１０５  マイクロフォン（ＭＩＣ
）、１０６  スピーカ（ＳＰＫ）、  １０７  バイブレーター、１０８  ハンズフリー通
信装置、１０９  ハンズフリー制御部、１１０  スイッチ、１１１  留守番電話部、  ２
００  ハンズフリーユニット、２０１  マイクロフォン（ＭＩＣ）、２０２  スピーカ（
ＳＰＫ）、２０３  入力装置、２０４  ハンズフリー通信装置、２０５  ハンズフリー制
御部。
【図１】
2005110051.tif 000003
【図２】
2005110051.tif 000004
【図３】
2005110051.tif 000005
【図４】
2005110051.tif 000006